(57)【要約】      （修正有）【課題】  捕獲対象の猪や鹿が脚で踏板を踏み下げたときにだけ捕獲ワイヤーのループが縮小して脚を掴み、猪や鹿など捕獲対象の動物だけを正確に生け捕りする罠を提供する。また、仕掛けたあと雨が降っても、落穴筒部と踏板との間の隙間から土砂、小枝等が入らず、捕獲対象の動物が踏板を踏むと、土砂、小枝等を噛まずに支障無く踏板が落とし込まれ、捕獲対象の獣を捕獲できる罠の提供。【解決手段】  上端に作動キャップ１１を被り、地面に縦に埋められる筒形本体１０と、踏板１２と、筒形本体１０内から前記作動キャップ１１を貫通して外に延長し、上記踏板１２上で縮小可能なループ１４を形成する捕獲ワイヤー１３と、捕獲ワイヤーのループ１４を縮小させるコイルバネ１５と、該コイルバネ１５の復元力に抗して作動キャップ１１を筒形本体１０に被せた状態に係止し、踏板１２の踏み下げに連動して作動キャップ１１の係止を釈放する係止−釈放装置１６とを備える。【選択図】  図３
2007037423.tif 000002
【特許請求の範囲】
【請求項１】
上端に作動キャップ１１を被り、地面に縦に埋められる筒形本体１０と、
上記筒形本体の傍で獣道Ｒに置かれ、獣が脚で踏むことにより踏み下げられる踏板１２と、
筒形本体１０内から前記作動キャップ１１を貫通して外に延長し、上記踏板１２上で縮小可能なループ１４を形成し、該ループ１４の先端部分が前記作動キャップ１１からの抜け止めとして形成されてなる捕獲ワイヤー１３と、
筒形本体１０中に縮めて収容され、その縮められた復元力で作動キャップ１１を筒形本体１０の上端部から上向きに押し外して捕獲ワイヤー１３沿いに移動させ、踏板１２上で捕獲ワイヤー１３のループ１４を縮小させるコイルバネ１５と、
上記コイルバネ１５の復元力に抗して作動キャップ１１を筒形本体１０に被せた状態に係止し、踏板１２が踏み下げられるのに連動して作動キャップ１１の係止を釈放する係止−釈放装置１６とを備えた捕獣用罠において、
上記係止−釈放装置１６は、作動キャップ１１の一側から突出する突出片２１と、該突出片２１を縦方向に案内し且つ上側に開口する切り欠き１６ｂを有し、作動キャップ１１の下方で筒形本体１０の一側に下端が固定されたレール部材１６ａと、該レール部材１６ａに沿って摺動可能に設けられ、踏板１２の一端部下面に当接可能な長さを有するロックアーム１６ｃとから構成されてなり、
更に、上記レール部材１６ａには掛金１６ｄが軸支され、作動キャップ１１を筒形本体１０に被せた状態において、該掛金１６ｄは、軸支点を支点として突出片２１に当接し且つロックアーム１６ｃに係止することを特徴とする、捕獣用罠。
【請求項２】
踏板１２が上蓋として内設され、前記ロックアーム１６ｃを縦方向に案内し且つ上側に開口するガイド溝孔５１が形成され、踏板１２の周端を載せる蓋支持部５２が該ガイド溝孔５１から離間した内壁面の少なくとも１箇所に設けられてなる筒状体の落穴筒部５０と、
前記踏板１２の下面に設けられ、該踏板１２と上記落穴筒部５０の間隙から土砂が浸入するのを防止するためのシール層５３と、
上記ガイド溝孔５１に、該シール層５３の下側からロックアーム１６ｃが挿入され、該ロックアーム１６ｃと蓋支持部５２とで踏板１２及びシール層５３を支持した係止−釈放装置１６と、
から構成されることを特徴とする、請求項１に記載の捕獣用罠。
【発明の詳細な説明】
【技術分野】
【０００１】
この発明は猪等の通り道（獣道）に仕掛け、そこを通る猪等の脚を捕獲ワイヤーのループを縮小して掴むことにより捕獲する捕獣用罠に関する。
【背景技術】
【０００２】
このような捕獣用罠は、実用新案登録第３０３８５１０号公報により公知である。この公知の罠は地面に縦に埋められ、上端に作動キャップを被った筒形本体と、上記筒形本体の傍で獣道に置かれ、獣が脚で踏むことにより踏み下げられる踏板と、筒形本体に一端を固定され、その内部から前記作動キャップを貫通して外に延長し、上記踏板上で縮小可能なループを形成する捕獲ワイヤーと、筒形本体中に縮めて収容され、その縮められた復元力で作動キャップを筒形本体の上端部から上向きに押し外して捕獲ワイヤー沿いに移動させ、踏板上で捕獲ワイヤーのループを縮小させるコイルバネと、作動キャップを筒形本体に被せた状態に係止し、踏板が踏み下げられるとこれに連動して作動キャップの係止を釈放する係止−釈放装置とを備え、獣が脚で踏板を踏み下げると、係止−釈放装置は作動キャップの係止を釈放し、これによりコイルバネの復元力で作動キャップは筒形本体の上端から上向きに外れ、捕獲ワイヤー沿いに移動して踏板上でワイヤーのループを瞬時に縮小して獣の脚を掴み、獣を捕獲する。
【０００３】
【特許文献１】実用新案登録第３０３８５１０号公報
【発明の開示】
【発明が解決しようとする課題】
【０００４】
上記従来の罠の作動キャップの係止−釈放装置は、筒形本体の下方に下端を枢着されたＶ形の２本の腕からなる梃子杆で、一方の腕の上端が踏板に固定され、他方の腕の上端は作動キャップの一側に設けた孔や溝などの凹部に係合してコイルバネの復元力で筒形本体の上端から作動キャップが外れるのを防止している。このＶ形の梃子杆は踏板の踏み下げに敏感に連動するため、猪や鹿などの獣が踏板の中央部を脚で踏み下げたときは、瞬時に縮小する捕獲ワイヤーのループで獣の脚を掴み、捕獲することができるが、踏板の縁を踏み下げたときでも、或いは捕獲対象外の猿、兎、鼠などの小動物が踏板の上に乗ったときでも捕獲ワイヤーのループは瞬時に縮小するため、猪や鹿の脚を掴むことができず、空（から）動作してしまう。又、獣道に仕掛けた後、雨が降り、地面と、落葉、草などで地面から浮かせた踏板の下面との間に小石、土砂などが流れ込むと、獣が踏板を踏んでも踏板は動かなくなることがあり、その場合は捕獲できなくなる。
【課題を解決するための手段】
【０００５】
本発明は、上述した問題点を解消するために開発されたもので、請求項１に記載の発明は、上端に作動キャップ１１を被り、地面に縦に埋められる筒形本体１０と、上記筒形本体の傍で獣道Ｒに置かれ、獣が脚で踏むことにより踏み下げられる踏板１２と、筒形本体１０内から前記作動キャップ１１を貫通して外に延長し、上記踏板１２上で縮小可能なループ１４を形成し、該ループ１４の先端部分が前記作動キャップ１１からの抜け止めとして形成されてなる捕獲ワイヤー１３と、筒形本体１０中に縮めて収容され、その縮められた復元力で作動キャップ１１を筒形本体１０の上端部から上向きに押し外して捕獲ワイヤー１３沿いに移動させ、踏板１２上で捕獲ワイヤー１３のループ１４を縮小させるコイルバネ１５と、上記コイルバネ１５の復元力に抗して作動キャップ１１を筒形本体１０に被せた状態に係止し、踏板１２が踏み下げられるのに連動して作動キャップ１１の係止を釈放する係止−釈放装置１６とを備えた捕獣用罠において、上記係止−釈放装置は、作動キャップ１１の一側から突出する突出片２１と、該突出片２１を縦方向に案内し且つ上側に開口する切り欠き１６ｂを有し、作動キャップ１１の下方で筒形本体１０の一側に下端が固定されたレール部材１６ａと、該レール部材１６ａに沿って摺動可能に設けられ、踏板１２の一端部下面に当接可能な長さを有するロックアーム１６ｃとから構成されてなり、更に、上記レール部材１６ａには掛金１６ｄが軸支され、作動キャップ１１を筒形本体１０に被せた状態において、該掛金１６ｄは、軸支点を支点として突出片２１に当接し且つロックアーム１６ｃに係止することを特徴とする。
【０００６】
請求項２に記載の発明は、踏板１２が上蓋として内設され、前記ロックアーム１６ｃを縦方向に案内し且つ上側に開口するガイド溝孔５１が形成され、踏板１２の周端を載せる蓋支持部５２が該ガイド溝孔５１から離間した内壁面の少なくとも１箇所に設けられてなる筒状体の落穴筒部５０と、前記踏板１２の下面に設けられ、該踏板１２と上記落穴筒部５０の間隙から土砂が浸入するのを防止するためのシール層５３と、上記ガイド溝孔５１に、該シール層５３の下側からロックアーム１６ｃが挿入され、該ロックアーム１６ｃと蓋支持部５２とで踏板１２及びシール層５３を支持した係止−釈放装置１６と、から構成されることを特徴とする。
【発明の効果】
【０００７】
請求項１の発明によれば、捕獲対象の猪や鹿が脚で踏板を踏み下げたときにだけ捕獲ワイヤーのループが縮小して脚を掴み、踏板に小動物が乗って動いてもループ１４は縮小しないので、猪や鹿など捕獲対象の動物だけを正確に生け捕りする罠を提供することができる。
【０００８】
請求項２の発明の構成によれば、ウレタン中敷きを使用しているので、仕掛けたあと雨が降っても、落穴筒部と踏板との間の隙間から土砂、小枝等が入らず、落穴筒部の内側側面の状態を良好に保てる。そのため、目的とする獣が踏板を踏むと、土砂、小枝等を噛まずに支障無く踏板が落とし込まれ、捕獲対象の獣を捕獲できる。また、ウレタン中敷きを使用することにより、円筒外径を獣が踏んだ際に生ずる異音を防止することができる。
【発明を実施するための最良の形態】
【０００９】
以下、本発明の好ましい実施の形態を添付した図面に従って説明する。図１に示す実施形態において、１０は獣道Ｒ或いはその傍の地中に上端部を残して埋める上端が開放した筒形本体、１１は該筒形本体１０の上端部に取外し可能に被せられた作動キャップ、１７は筒形本体１０の下端を塞ぐ底蓋、１５は筒形本体１０の内部に長さを縮めて収容され、下端を底蓋１７に受止められて作動キャップ１１を上向きに押し、筒形本体１０から作動キャップ１１を外す復元力を蓄えるコイルバネ、１３は筒形本体１０内のコイルバネ中を通り、作動キャップ１１及び底蓋１７の中心孔から外に突出して筒形本体１０を上下方向に移動可能に貫通した金属製の捕獲ワイヤーを示す。
【００１０】
又、１２は獣道に置いて獣に踏ませるための平面形状が直線縁部を有するほゞ円形ないし巾着形の木板からなる踏板１２を示す。そして、前記捕獲ワイヤー１３の作動キャップ１１から外に出た上部で、踏板１２と同程度、又はそれより少し大きいループ１４を形成し、獣道Ｒの踏板１２の回りに置く。
【００１１】
捕獲対象の動物が猪や鹿の場合、筒形本体１０は例えば直径約２５ｍｍ、長さ約２０ｃｍの鋼管、捕獲ワイヤー１３は多数本の金属細線を撚り合わせた直径約５ｍｍ、長さ約１．５ｍの可撓な金属ワイヤーであり、作動キャップ１１及び底蓋１７には上記捕獲ワイヤー１３を移動可能に通すため直径約６ｍｍの中心孔が開設してある。又、踏板１２は直径が約１５ｃｍ、厚さ約１ｃｍ、ループ１４の直径は約１０〜２０ｃｍである。
【００１２】
捕獲ワイヤー１３によるループ１４は、前記従来例にも記載されているように、ワイヤー１３の先端に、ワイヤーの途中を移動可能に通す結び目１３′を設けて形成し、ループの径は上記結び目１３′に通っているワイヤーの途中の位置によって任意に調節可能にする。このため、筒形本体の下端の底蓋１７の中心孔から下に突出する捕獲ワイヤー１３の下端部に底蓋１７に下から当接するストッパ１８をボルトなどでワイヤー沿いに移動調節可能に固定し、捕獲しようとする獣の脚の太さ（熊のように太い場合、熊よりも細い猪や鹿の場合）によって変えるループ１４の直径の変化に応じストッパ１８の固定位置を調節し、所定の直径のループを形成すると常にストッパ１８が底蓋１７に下から当接するようにし、これにより一定の直径のループを常に形成できるようにしておく。ループは上記のようにして形成されているため、結び目１３′をワイヤー沿いにワイヤーの先端に向かって移動させることによりループ１４を絞ってその直径をほゞ０にまで縮小することができる。
【００１３】
尚、結び目１３′は上記したようにワイヤー沿いに設けられているので、作動キャップ１１からの抜け止めとしても機能し、作業中、捕獲ワイヤー１３が筒形本体の下端の底蓋１７の中心孔から抜け落ちることは無い。
【００１４】
ループ１４の直径の瞬間的な縮小は、獣が脚で踏板１２を踏み下げると、これに連動して筒形本体１０の上端部に被さった状態に係止されていた作動キャップ１１の係止が釈放され、筒形本体１０内に縮めて収容されて弾力を蓄えていたコイルバネ１５が復元力で作動キャップ１１を筒形本体１０の上端部から外したのちワイヤー１３沿いに移動させ、ワイヤー１３の結び目１３′を押し動かす作動キャップ１１の係止−釈放装置１６によって行う。筒形本体中に縮めて収容するコイルバネ１５の長さは、捕獲ワイヤーのループ１４の直径を瞬時に縮小する復元力に影響するので、前述したように筒形本体が長さ約２０ｃｍの鋼管の場合、コイルバネ１５の長さは約１ｍである。
【００１５】
前述したように従来の罠の係止−釈放装置は非常に敏感で、猪や鹿が踏板１２のどこを踏み下げても作動キャップ１１の係止は釈放され、捕獲ワイヤーのループ１４は直径を縮小するため、猪や鹿が踏板の縁を踏み下げたときはループ１４が完全に縮小する前に、驚いて脚を踏板から上に離すのでループ１４が縮小しても空動作で捕獲できないことが多くあった。又、猿、兎、鼠などの軽量な小動物が踏板１２に乗ったときも作動キャップ１１の係止は釈放され、ループ１４は直径を縮小するので捕獲対象外の動物を捕獲することもあった。本発明は、捕獲対象の獣が踏板１２の中央部を踏み下げない限りループ１４の縮小が生じないように改良し、猪や鹿などの捕獲対象の動物だけを確実に捕獲できるようにしたのである。
【００１６】
このため、本発明の捕獣用罠において、係止−釈放装置１６は、作動キャップ１１の一側から突出する突出片２１と、該突出片２１を縦方向に案内し且つ上側に開口する切り欠き１６ｂを有し、作動キャップ１１の下方で筒形本体１０の一側に下端が固定されたレール部材１６ａと、該レール部材１６ａに沿って摺動可能に設けられ、踏板１２の一端部下面に当接可能な長さを有するロックアーム１６ｃとから構成される。
【００１７】
図１の実施形態に示すように、掛金１６ｄは、ボルト１６ｅを支点、ロックアーム１６ｃとの接触部分を力点、突出片２１との接触部分を作用点としてロック機構を構成している。図１の実施形態は、略Ｌ字型の掛金１６ｄがボルト１６ｅの周りに回動可能な状態で、レール部材１６ａに軸支される。作動キャップ１１を筒形本体１０に被せた状態において、該掛金１６ｄはボルト１６ｅを支点として、その上側内縁端が突出片２１に係止し且つその下側内縁端がロックアーム１６ｃの側縁に当接しているので、作動キャップ１１に作用するコイルバネ１５の弾性復元力は、ロックアーム１６ｃに支えられる。
【００１８】
上記したように、係止−釈放装置１６を構成する突出片２１、レール部材１６ａ、ロックアーム１６ｃ、掛金１６ｄにはコイルバネ１５の弾性復元力が作用するので、チタン合金、ステンレス合金等の堅牢且つ耐腐食性の高い金属で構成することが好ましい。また、ロックアーム１６ｃに下方向の力が加わった際、ロックアーム１６ｃが確実にレール部材１６ａに沿ってスライド移動するように、図５（ａ）〜（ｃ）に示す構成にすることができる。すなわち、レール部材１６ａは縦長な１枚の長方形のステンレス板とするとともに（図５（ａ）、（ｂ））、ロックアーム１６ｃは２枚の横長な長方形のステンレス板で構成し、該２枚のステンレス板間に前記レール部材１６ａの板厚と同程度の間隙を確保できるように、側縁端及び該側縁端からレール部材１６ａと同程度の内側にガイド部材１６ｆを縦方向に固定する（図４及び図５（ａ）、（ｂ））。
【００１９】
尚、ロックアーム１６ｃを上記構成にする場合、ロックアーム１６ｃに挿入可能なＬ字部材１２ｃを踏板１２の周縁側に設けることが好ましい。このようにＬ字部材１２ｃを踏板１２に設け、図４及び図５（ｂ）に示されるように、該Ｌ字部材１２ｃがロックアーム１６ｃに挿入されるように踏板１２をロックアーム１６ｃに載置すれば、捕獲対象の動物が踏板１２を踏んだ際、該踏板１２は左右にぶれることなく落穴筒部５０内に落とし込まれる。
【００２０】
そして、上記構成に加え、本発明の捕獣用罠は、踏板１２が上蓋として内設される程度の内径を有し、前記ロックアーム１６ｃを縦方向に案内し且つ上側に開口するガイド溝孔５１が形成された筒状体の落穴筒部５０と、上記踏板１２の下面に内設されるシール層５３とから構成されることが好ましい。
【００２１】
筒状体の落穴筒部５０は錆びない材料で構成され、プラスチック等の合成樹脂が好適に使用される。そして、落穴筒部５０の縦方向のガイド溝孔５１は、ロックアーム１６ｃが下方向にスライド移動して、上記掛金１６ｄの下側内縁端がロックアーム１６ｃから外れる程度の縦長に形成される必要がある。また、落穴筒部５０の内壁には、踏板１２の周端を載せる蓋支持部５２が、上記ガイド溝孔５１から離間した内壁面の少なくとも１箇所に設けることが好ましい。例えば、図１及び図４に示されるように、蓋支持部５２は、上記ロックアーム１６ｃの上縁端と対向する位置に設けられる。
【００２２】
上記踏板１２の下面に内設されるシール層５３は、該踏板１２と上記落穴筒部５０の間隙から土砂が浸入するのを防止するとともに、落穴筒部５０の枠縁を獣が踏んだ際に異音が生じるのを防止する。そのため、シール層５３は耐水性を有し且つ柔軟性に富んだ材質、例えば、スポンジ、ウレタンゴムなどで構成される。
【００２３】
従って、この罠を仕掛けるには、例えば、獣道Ｒ或いはその傍を掘って、踏板１２を置くべき個所が落穴筒部５０を地中に隠せる程度になるまで地面を掘り下げるとともに、その傍らも掘り下げて、筒形本体１０を地中に埋められる部分を確保する。次いで、この掘り下げ部４０の中に落穴筒部５０を置いて、該落穴筒部５０の外側から、縦方向のガイド溝孔５１にロックアーム１６ｃを挿入し、ロックアーム１６ｃが円滑に下方向へスライド移動できるように、筒形本体１０を上記縦方向のガイド溝孔５１に隣設させ、係止−釈放装置１６を残して筒形本体１０の下側部分を地中に埋める。この時、踏板１２の上面が地表と同一面になるように、ロックアーム１６ｃの上縁端の高さを調整しておく。次いで、筒形本体１０内に土砂が浸入しないようにシール層５３を落穴筒部５０に内設し、更にその上に踏板１２を置く。そして、該踏板１２の上、又はその回りの地上にループ１４を配置し、その上や、筒形本体１０の上端部を草や落ち葉でかくす。踏板１２は、その下面に設けたシール層５３を間において、蓋支持部５２とロックアーム１６ｃで水平に支持され、落穴筒部５０の開口を隠す上蓋を構成する。
【００２４】
尚、上記のように罠を仕掛ける際に、係止−釈放装置１６が不意に作動するのを防止するため、例えば、次のような安全装置を構成することが好ましい。すなわち、まず、突出片２１が設けられた作動キャップ１１に、該突出片２１から離間した側部にナット２３を溶接で取付け、蝶ねじ２５が前記ナット２３にねじ込み可能になるように構成する。他方、筒形本体１０の下端に溶接などで固定されて本体沿いに上向きに延びる錠止棒２４を設けるとともに、該錠止棒２４の上端部には、蝶ねじ２５を掛止するための掛止片２４ａを設ける。
【００２５】
上記のように構成した安全装置によれば、蝶ねじ２５をナット２３にねじ込むことにより、コイルバネ１５が筒形本体１０内に縮めて収容されている状態であっても、該筒形本体１０に被せられた作動キャップ１１が、上記コイルバネ１５の弾性復元力で不意に筒形本体から上向きに外されるのを確実に防ぐことができる。尚、安全装置は上記構成に限定されず、別構成として、上記蝶ねじ２５に代えて錠止棒２４の上端部にピンを横向きに取付ける構成とし、ナット２３の代わりに作動キャップ１１の側部にボスの孔を設け、該ボスの孔に上記ピンを挿入する構成であっても良い。
【００２６】
更に、ストッパ１８を固定した捕獲ワイヤー１３の下端部には連結金具２６により長さ２ｍ程度の、捕獲ワイヤーと同じ延長ワイヤー３０を連結し、例えば、留め金具２７によりこの延長ワイヤー３０の末端部に樹木や杭への巻付け部３１を形成しておくことが好ましい。前記連結金具２６は捕獲ワイヤー１３の下端部を折返し状に通す孔を備えた第１金具２６ａと、延長ワイヤー３０の一端部を折返し状に通す孔を備えた第２金具２６ｂの２つを回転自在に連結した周知のもので、各金具２６ａ，２６ｂの孔に通したワイヤーの折返し部分は揃えて固定する。又、留め金具２７は、図３に示すようにワイヤー３０の末端と、その途中とを揃えて載せる台座３２と、台座３２に下向きの両端部を通して台座の下面にナットで締付けられ、台座３２上にワイヤー３０の末端と、その途中とを一体に固定する逆Ｕ字形ボルト３３とからなり、樹木や杭にワイヤー３０を巻付けた後、その末端部と途中とを固定し、巻付け部３１を形成する。
【００２７】
捕獲ワイヤー１３と延長ワイヤー３０を一連の長いワイヤーにすると、筒形本体の底蓋から下に出たワイヤーを底蓋の下で上向きに曲げ、その上向きの末端部に巻付け部３１を形成しなければならず、それにはワイヤーを折返して上向きに曲げるのに大きな曲率の折返し湾曲部を作る必要があるが、図３に示すように、連結金具２６で連結された２本のワイヤー１３，３０にすると、連結金具２６から延長ワイヤー３０を筒形本体に沿って真っ直ぐ上に向けることができ、筒形本体を地中に埋めてワイヤーの巻付け部３１を樹木などに巻付けるために折返し湾曲部の分だけ土地を広く掘り下げる手数と時間が省ける。
【００２８】
従って、前述したように、獣道Ｒ、又はその傍の踏板１２を置くべき個所に落穴筒部５０を地中に隠し、該落穴筒部５０の上に踏板１２、捕獲ワイヤーのループ１４を置いて草、葉で覆い隠して罠を仕掛ける際は、筒形本体１０の上端部に作動キャップ１１を被せることによりコイルバネ１５を筒形本体１０内で縮めて伸長する復元力を蓄えさせ、蝶ねじ２５が掛止片２４ａに掛止或いは当接するように作動キャップのナット２３にねじ込む。このように安全装置を使用して、作動キャップ１１が筒形本体１０の上端から不意に外れないようにしておく。そして、筒形本体１０を地中に埋め、筒形本体１０沿いに上向したワイヤー３０の端部を近くの樹木等に巻付けて巻付け部３１を形成する。
【００２９】
一方、コイルバネ１５が縮めて収容されている筒形本体１０は、ロックアーム１６ｃが円滑に下方向へスライド移動可能になるように落穴筒部５０のガイド溝孔５１に設けられる。こうして罠を構成した後、作動キャップのナット２３から錠止棒２４の蝶ねじ２５を外す。このように蝶ねじ２５をナット２３から外しても、図１の実施形態に示すように、該掛金１６ｄはボルト１６ｅを支点として、突出片２１に係止し且つロックアーム１６ｃに当接しているので、作動キャップ１１に作用するコイルバネ１５の弾性復元力は、ロックアーム１６ｃに支えられるため、常態では作動キャップ１１は筒形本体１０内で圧縮されたコイルバネ１５の復元力によって筒形本体１０の上端から外されることはない。
【００３０】
これによって、猪や鹿、その他、兎、鼠などの小動物が踏板１２の縁部１２ｂを踏んでも（図１ａ破線参照）、踏み板１２は蓋支持部５２とロックアーム１６ｃで水平に支持されているため踏板１２は傾くことなく水平を保っているので、猪や鹿は安心する。又、猿、兎、鼠などの小動物が踏板１２の中央部に乗っても、軽量であるため、踏板１２の下面のロックアーム１６ｃは押し下げられず、該掛金１６ｄはロックアーム１６ｃの側縁の当接部分からずれ動かず、このため捕獲ワイヤーのループ１４の縮小は起こらない。
【００３１】
猪や鹿が安心して、図１に示すように端部１２ａ或いは踏板１２の中央部に脚を乗せて、体重を掛けると、ロックアーム１６ｃは、掛金１６ｄが該ロックアーム１６ｃから外れるまでレール部材１６ａに沿って下側に押し下げられる（図２）。これによって、作動キャップ１１に作用するコイルバネ１５の弾性復元力を押し戻す力は無くなり、該コイルバネ１５の弾性復元力により、掛金１６ｄは突出片２１に押し上げられるとともに作動キャップ１１は筒形本体１０の上端部から外れて捕獲ワイヤー沿いに移動するので、捕獲ワイヤーのループ１４は瞬時に縮小して猪や鹿の脚を掴み、生け捕りする。
【００３２】
そして、縮小したループで脚を掴まれ、驚いた猪や鹿が大暴れして筒形本体を地中から引き抜いても、捕獲ワイヤーの末端部の巻付け部３１が樹木などに巻付いているため、獣は筒形本体、踏板を引擦って逃げることはできない。かくして、捕獲対象の猪や鹿を確実に生け捕りすることができる。尚、熊を捕獲する場合は、踏板、筒形本体を大型にすればよい。
【図面の簡単な説明】
【００３３】
【図１】本発明の一実施形態に係る捕獣用罠の動作を示す部分説明図である。
【図２】図１の実施形態に係る捕獣用罠の動作を示す部分断面図である。
【図３】図１の実施形態に係る捕獣用罠を仕掛けた状態の概略断面図である。
【図４】図１の平面図である。
【図５】（ａ）図１の実施形態に係る捕獣用罠の係止−釈放装置１６の拡大側面図である。（ｂ）図１の実施形態に係る捕獣用罠の係止−釈放装置１６の動作を示す部分説明図である。（ｃ）図１の実施形態に係る捕獣用罠の作動キャップ１１の動作を示す部分説明図である。
【符号の説明】
【００３４】
１０    筒形本体
１１    作動キャップ
１２    踏板
１２ａ  端部
１２ｂ  縁部
１２ｃ  Ｌ字部材
１３    捕獲ワイヤー
１４    捕獲ワイヤーのループ
１５    コイルバネ
１６    係止−釈放装置
１６ａ  レール部材
１６ｂ  切り欠き
１６ｃ  ロックアーム
１６ｄ  掛金
１６ｅ  ボルト
１６ｆ  ガイド部材
１７    筒形本体の底蓋
２１    作動キャップに設けた突出片
２２    筒形本体に枢着した上向きの揺動腕
２３    作動キャップの側面に固定したナット
２４    筒形本体に設けた錠止棒
２４ａ  錠止棒に設けた掛止片
２５    錠止棒に設けた蝶ねじ
２６    連結金具
２７    留め金具
３０    延長ワイヤー
３１    樹木などへの巻付け部
４０    獣道に設けた掘り下げ部
５０    筒状体の落穴筒部
５１    ガイド溝孔
【図１】
2007037423.tif 000003
【図２】
2007037423.tif 000004
【図３】
2007037423.tif 000005
【図４】
2007037423.tif 000006
【図５】
2007037423.tif 000007